(57)【要約】【課題】少ない抵抗で打ち込めて、水平方向に姿勢変更することにより、大きな引き抜き抵抗力を発揮する栽培用温室などに使用される引き抜きアンカーを提供する。【解決手段】板状体のアンカー板と連結体と備えた簡易構築物の引き抜き抵抗アンカーであって、アンカー板は、先端側が尖がり状であり、後縁部が押し込み治具の受け部であり、中央部が連結体との接合部であり、連結体は、先端部がアンカー板の重心中央付近で接合し、後端部に地上部材との接合部を備えており、連結体とアンカー板の中央部とは回動が自由となる接合構造である引き抜き抵抗アンカー。【選択図】図１
2020191787.tif 000002
【特許請求の範囲】
【請求項１】
板状体のアンカー板と連結体とを備えた簡易構築物の引き抜き抵抗アンカーであって、
アンカー板は、先端側が尖がり状であり、後縁部が押し込み治具の受け部であり、中央部が連結体との接合部であり、
連結体は、先端部がアンカー板の重心中央付近で接合し、後端部に地上部材との接合部を備えており、
連結体とアンカー板の中央部とは回動が自由となる接合構造であることを特徴とする引き抜き抵抗アンカー。
【請求項２】
アンカー板は、略三角形あるいは五角形であり、一面に直進案内用の凸状部があり、凸状部に連結体との接合部が形成されていることを特徴とする請求項１記載の引き抜き抵抗アンカー。
【請求項３】
連結体の先端部は、折り返して環状部が形成されており、環状部はアンカー板通し間隔が設けられた開放形であって、
アンカー板の凸状部は、板体であって、接合用の穴を有し、穴から上辺までの肉厚が前記環状部のアンカー板通し間隔よりも小さくしたことを特徴とする請求項２記載の引き抜き抵抗アンカー。
【請求項４】
アンカー板は、後縁部に連結体との接合部がある面と反対方向に屈曲する姿勢案内部を設けたことを特徴とする請求項１〜３のいずれかに記載の引き抜き抵抗アンカー。
【請求項５】
連結体は、棒状体あるいは線状体であり、後端側に長さ調整部を備えていることを特徴とする請求項１〜４のいずれかに記載の引き抜き抵抗アンカー。
【請求項６】
簡易構築物が植物栽培用ハウスであることを特徴とする請求項１〜５のいずれかに記載の引き抜き抵抗アンカー。
【請求項７】
請求項１〜６のいずれかに記載された引き抜き抵抗アンカーを地盤に押し込む押し込み治具であって、棒状体の後端側が押圧部であり、棒状体の先端側にアンカーの板状体の後縁部を拘束する爪部を備えていることを特徴とする押し込み治具。
【請求項８】
請求項１〜６に記載されたいずれかの引き抜き抵抗アンカーを請求項７に記載された押し込み治具を使用して、引き抜き抵抗アンカーを施工する方法であって、
簡易構築物の基礎梁あるいは支柱に沿って引き抜き抵抗アンカーのアンカー板を、先端を下にして地盤上に位置決めし、
押し込み治具をアンカー板の後端部に設置し、
押し込み治具の後端部を押し込んで、アンカー板を地盤の設置予定深さより、所定深さ分深く位置させ、
押し込み治具を引き抜き、
連結体を姿勢変更分引き上げて、アンカー板を水平方向に姿勢を調整し、
簡易構築物の基礎梁、支柱又はロープと引き抜き抵抗アンカーの後端部とを接続する施工工程を、
備えていることを特徴とする引き抜きアンカーを施工する方法。
【発明の詳細な説明】
【技術分野】
【０００１】
本発明は、植物栽培用温室のように地表に直接設置する簡易構築物を引き抜き力に対して抵抗する抵抗アンカーに関する。
【背景技術】
【０００２】
栽培ハウスは、施設農業として、注目されており、普及している。
特に、日本農業の抱える構造的課題、農業の再生、競争力強化が農業に求められている。農商工連、六次産業化、ＴＰＰ、企業の参入など変革点にある。市場から農業の産業化として、品質の安定化、出荷数量の安定化、周年供給など要素の充足が求められている。農産物を生産する供給サイドから見ると、このような３要素を充足することができれば、安定した売り先（市場）を確保でき、経営の安定化を計ることができるようになって、家業から事業へ転換でき、産業として成長することが期待できる。
ハウス栽培は、天候変動の影響を緩和して、栽培環境をコントロールし、計画栽培、安定出荷の手段として有効である。農業の課題を解決する技術的に有効な手段の１つである。  
【０００３】
ハウスの例としては、丸パイプをアーチ型に曲げたパイプフレームを６０〜１００ｃｍ程度の間隔で多数立列設し、基礎の梁と連結し、スクリュー状の羽根を設けた杭を基礎張りに連結したビニールハウス（図９参照、特許文献１：特開２０１３−１６９２００号公報）等がある。
パイプハウスなどの栽培用温室は、大型化しており、また、強風による風害による倒壊などが発生している。
畑にパイプや杭を差し込んで固定した軽量なパイプハウスは、風にあおられて巻き上げられる上方に引っ張る力が加わることによって、倒壊などが発生する。
パイプハウスなどの栽培用温室の基礎を安定させるために、アンカーがいろいろ提案されている。
特許文献２（特開２００３−３０６９３５号公報）や特許文献３（特開平９−１３３７１号公報）には、アンカー支持棒の先端に拡開するアンカー羽根や後部側を開口した立体的な回転するアンカー本体が開示されている。
【０００４】
特許文献４（特開２０１６−９８５３０号公報）には、打ち込み用の打撃付与工具に回転可能に支持された円盤状のアンカー本体（図１０参照）が開示されている。この円盤状のアンカーは、傾斜状態で打ち込まれるものであって、傾斜に対して直角方向に大きな抵抗が発生するので、支柱や果樹本体から離れた位置に設置されることとなり、また、地盤中の石などを回転して避けて打ち込むことができるものであり、打ち込み箇所が変わる可能性があるものである。本例は、明細書中にもあるように、果樹の柵などのように、多方角から変化しながら加わる単位支柱に対して特に有効なものである。
【先行技術文献】
【特許文献】
【０００５】
【特許文献１】特開２０１３−１６９２００号公報
【特許文献２】特開２００３−３０６９３５号公報
【特許文献３】特開平０９−０１３３７１号公報
【特許文献４】特開２０１６−０９８５３０号公報
【発明の概要】
【発明が解決しようとする課題】
【０００６】
本発明は、少ない抵抗で打ち込めて、水平方向に姿勢変更することにより、大きな引き抜き抵抗力を発揮する栽培用温室などに使用される引き抜き抵抗アンカーを提供することである。
【課題を解決するための手段】
【０００７】
１．板状体のアンカー板と連結体とを備えた簡易構築物の引き抜き抵抗アンカーであって、
アンカー板は、先端側が尖がり状であり、後縁部が押し込み治具の受け部であり、中央部が連結体との接合部であり、
連結体は、先端部がアンカー板の重心中央付近で接合し、後端部に地上部材との接合部を備えており、
連結体とアンカー板の中央部とは回動が自由となる接合構造であることを特徴とする引き抜き抵抗アンカー。
２．アンカー板は、略三角形あるいは五角形であり、一面に直進案内用の凸状部があり、凸状部に連結体との接合部が形成されていることを特徴とする１．記載の引き抜き抵抗アンカー。
３．連結体の先端部は、折り返して環状部が形成されており、環状部はアンカー板通し間隔が設けられた開放形であって、
アンカー板の凸状部は、板体であって、接合用の穴を有し、穴から上辺までの肉厚が前記環状部のアンカー板通し間隔よりも小さくしたことを特徴とする２．記載の引き抜き抵抗アンカー。
４．アンカー板は、後縁部に連結体との接合部がある面と反対方向に屈曲する姿勢案内部を設けたことを特徴とする１．〜３．のいずれかに記載の引き抜き抵抗アンカー。
５．連結体は、棒状体あるいは線状体であり、後端側に長さ調整部を備えていることを特徴とする１．〜４．のいずれかに記載の引き抜き抵抗アンカー。
６．簡易構築物が植物栽培用ハウスであることを特徴とする１．〜５．のいずれかに記載の引き抜き抵抗アンカー。
７．１．〜６．のいずれかに記載された引き抜き抵抗アンカーを地盤に押し込む押し込み治具であって、棒状体の後端側が押圧部であり、棒状体の先端側にアンカーの板状体の後縁部を拘束する爪部を備えていることを特徴とする押し込み治具。
８．１．〜６．に記載されたいずれかの引き抜き抵抗アンカーを７．に記載された押し込み治具を使用して、引き抜き抵抗アンカーを施工する方法であって、
簡易構築物の基礎梁あるいは支柱に沿って引き抜き抵抗アンカーのアンカー板を、先端を下にして地盤上に位置決めし、
押し込み治具をアンカー板の後端部に設置し、
押し込み治具の後端部を押し込んで、アンカー板を地盤の設置予定深さより、所定深さ分深く位置させ、
押し込み治具を引き抜き、
連結体を姿勢変更分引き上げて、アンカー板を水平方向に姿勢を調整し、
簡易構築物の基礎梁、支柱又はロープと引き抜き抵抗アンカーの後端部とを接続する施工工程を、
備えていることを特徴とする引き抜きアンカーを施工する方法。
【発明の効果】
【０００８】
本発明の引き抜き抵抗アンカーは、平板の背中に凸状部が設けられているアンカー板なので、土中で曲がらずに所定の方向に挿入することができ、正確な位置に設置でき、凸状部に設けられた連結体を少し引き上げて、アンカー板を土中で水平姿勢に変更して、大きな引き抜き抵抗を発揮させることができる。小さな板状体であっても、地中で水平になって、大きな引き抜き抵抗を発揮することができる。
土中に挿入する際は、縦方向の平板状であるので、挿入抵抗が小さいので、緊急時などに即応でき、風害対策に有効である。
アンカー板と連結体はアンカー板の本体から上方に離れた箇所で、ほぼ重心上に設けられているので、連結体を引き上げると、アンカー板を土中で水平方向に姿勢変更することができる。アンカー板と連結体は別体とされ、現場で組み合わせて用いることにより、アンカー体の大きさと連結体の長さを適宜選択して使用することができる。
アンカー板を土中に挿入する押し込み治具は、アンカー板の後縁と凸状部を挟さむことによって、アンカー板を安定させることができる。
軽量で簡易な構造の栽培用温室の風害対策に臨機応変に対応できる。
【図面の簡単な説明】
【０００９】
【図１】引き抜き抵抗アンカーの例
【図２】引き抜き抵抗アンカーの分解図
【図３】アンカー板と連結体の接合部拡大図
【図４】アンカー板が土中で水平姿勢となる変化を示す図
【図５】調整部付き連結体後端部の例
【図６】押し込み治具の例（連結体を省略して示す）
【図７】姿勢案内部付きアンカー板の例
【図８】引き抜き抵抗アンカーの使用例を示す図
【図９】パイプハウスの骨組みの例とスクリュー杭の例を示す図
【図１０】従来例（特許文献４）に示される回転円盤型アンカーを示す図
【発明を実施するための形態】
【００１０】
本発明は、栽培用温室などの簡易構築物に使用する引き抜き抵抗アンカーであって、挿入方向に向いた状態で土壌中に挿入され、水平方向に姿勢が変更して大きな抵抗を発揮するアンカー板と、アンカー板と地上の簡易構築物に接続する連結体から構成される。さらに加えて、アンカー板を土壌中へ押し込み治具を備えている。
アンカー板は、板状であり、先端側が先尖りであり、板体の中央線上に先端に向けて凸状部を備えており、凸状部には、押し込み方向がぶれないように案内する機能と、連結体との接合部と、姿勢変更付勢機能がある。アンカー板の後縁は直線状が基本で、押し込み治具との係合部や姿勢案内部が設けられることがある。
アンカー板は、平板状で土壌中に曲がって押し込まれてしまう恐れがあるので、背中に凸状部を設けて直進性を向上させる。この凸状部に連結体を結合する穴を設ける。アンカー板を押し込んで、引き上げると、アンカー板の中心線から離れている穴に引き上げ力が加わるので、離れている距離分のモーメントが働いて、アンカー板の後縁は水平方向に変更するように付勢される。また、穴は、アンカー板の中央部付近に設けて、連結体とアンカー板が直角方向で安定するようにすることが好ましい。
押し込み治具は、アンカー板の後縁部を押してアンカー板を土壌中に所定深さまで侵入させる治具である。押し込み治具は、アンカー板の後縁部を拘束する爪などを設けると、アンカー板を安定して保持できる。裏面側の爪を短くすると、アンカー板を水平方向へ姿勢変更する際に抑え機能を発揮できる。
本発明の引き抜き抵抗アンカーは、従来のスクリューアンカーや螺旋杭よりも大きな引き抜き抵抗を発揮する。簡易構築物の構築初期や強風が予測されるときに臨時に対応する場合に、従来のアンカーよりも設置数が少なくて済む。特に、緊急の風害対応の補強対策として能力を発揮する。
以下図に沿って、実施態様を説明する。
【００１１】
（実施態様１）
図１、２、３に、五角形のアンカー板１と先端と後端を同形の「Ｐ」形とした棒状の連結体２を備えた引き抜き抵抗アンカー１０が示されている。アンカー板体の基本形状は先端が尖っていると土中に突き刺さりやすく抵抗が小さく、全体として、三角形や五角形など尖っている形状が適している。円盤は、土中の抵抗で左右に曲がりやすく、所定の挿入位置に設置することが難しく、栽培施設などの建物には不向きである。
図１（ａ）は、全体図であり、図１（ｂ）は、連結体２を引き上げた状態のアンカー板１と連結体の接合部３１を示す。図２は、アンカー板１の斜視図（ａ）、アンカー板１の平面図（ｂ）、連結体２の平面図（ｃ）を示す。図３は、アンカー板１と連結体２の先端部２２を示し（ａ）、アンカー板１と連結体２の先端部２２との結合状態（ｂ）を示している。
【００１２】
アンカー板１は、平面視で五角形の板状体で、先端側１１の先端の尖がっている個所から中央線に沿って凸状部３が設けられている。凸状部３の中間には穴３３が形成されている。穴３３は、アンカー板１を引き上げたとき水平になる重心中央付近からやや先端側に形成することが好ましい。これは、アンカー板１が土壌中で水平方向になって、引き上げ力が加わった時に、アンカー板が前後に動かないように、前後にベクトルが働かないようにするためである。
アンカー板１の本体と穴３３の立ち上がり距離ｈがあるので、土中に挿入されたアンカー体１を連結体２で引き上げた時、離れている分曲げモーメントが働いて、アンカー板１を水平方向に変更させる力となる。
【００１３】
図１（ａ）では、アンカー板１と連結体２が分離可能な別体型の例を示している。図２（ｃ）に示す連結体２は、丸棒の先端と後端に環状部を形成した例を示している。すなわち、先端部22と後端部23に環状部24が形成されており、中間部が直線状の軸部21となっている。本例では、先端部と後端部は同形状であるが、別形状であっても差し支えない。本例では、環状部は閉鎖しておらず、開口している。これは、図３（ａ）に示すように、環状部24に存在する開口25の開口幅が、アンカー板１の凸状部3に設けられている穴33と上辺35との間の肉厚35ｄより大きくなっており、連結体２とアンカー板１を分離でき、現場で組み合わせて使用できるようになっている。これは、アンカー板１と連結体２を別々に収納したほうがコンパクトで、現場の状況に応じて必要な長さの連結体２を組み合させて使用することができる等の利点がある。別体として、アンカー板の大きさと連結体の長さを複数種類設けることにより、現場で適宜組み合わせて用いることができる。
なお、連結体２の先端部22に設けられている環状部は閉鎖して、アンカー板１と連結体２が一体化することもできる。
また、連結体２は簡易構築物に加わる引っ張りに対して抵抗する機能であるので、棒状体のほか、ロープや鎖とすることができる。
【００１４】
図４に地中に挿入されたアンカー板１が、姿勢を水平に変更する状態を模式的に示す。
（ａ）はアンカー板１が挿入された土中での鉛直方向を向いた初期の姿勢を示しており、この状態から連結体２を力Ｆで上方に引くと、力Ｆが作用する穴33と引き上げ抵抗となるアンカー板１の後縁部12が離れているので、連結体１が引き上げられるに従いアンカー体１は、傾斜して、一番抵抗の大きくなる連結体２とアンカー体１が直角の関係になる。途中の傾斜状態を（ｂ）に示し、アンカー体１が水平になった状態を（ｃ）に示す。
なお、図示の例は鉛直にアンカー板１を土中に挿入した状態を示しているが、斜めに挿入して、連結体２を斜めに取り付ける場合もある。その場合、アンカー板１は連結体２とほぼ直角になる姿勢になる。連結体を取り付ける簡易構築物の箇所とアンカー板１を設置できる箇所との関係で、アンカー板１を鉛直に挿入するか、傾斜させるか決まる。
例えば、幅１０ｃｍ、長さ６ｃｍ、凸状部３の高さ３ｃｍのサイズのアンカー板１を５０ｃｍ程度土中に挿入した場合、引き抜き抵抗は約２００ｋｇ発揮し、らせん杭の３０％ほど高い引き抜き強度を計測できた。
【００１５】
図５に連結体２の後端部に長さ調整部を設けた例を示す。
図示の例では、連結体２の環状の後端部23にさらに調整部25としてターンバックルを設けている。アンカー板１を所定の深さに挿入するが、姿勢変更に伴い連結体の後端の高さが変化するので、調整部を設けることにより簡易構築物との取り付け位置の調整ができる。調整具としては、ターンバックルに限るものではない。
【００１６】
図６に押し込み治具５の例を示す。（ａ）は、押し込み治具５の例であり、下方に底面の拡大を示している。（ｂ）は連結体を省略したアンカー板１のみを示した引き抜き抵抗アンカーを示している。（ｃ）は、アンカー板１の後縁部に押し込み治具５をセットした状態を示している。
押し込み治具５は、棒状部材であって、先端側にアンカー板１の後縁部が挿入できる挿入溝５３が形成された爪部５１が設けられている。後端部は槌などで打撃する押圧部５２となり、膨出させてもよい。
先端の爪部５は別体として押し込み治具の下端に取りつけることもできるが、本例では、押し込み治具の下部に「Ｔ」形のＴ形挿入溝５３ａ、あるいは、十字形の十字形挿入溝５３ｂを設けた例を示している。溝にはアンカー板１の後縁部１２と凸状部３がはめ込まれた状態（図６（ｃ）参照）となる。この図６（ｃ）の状態で、地面に立てて、打ち込まれて、土中の所望の位置にアンカー板１が挿入され、押し込み治具５は引き抜かれる。その状態が、図４（ａ）であり、その後、図４（ｂ）、（ｃ）とアンカー板１は姿勢を変更する。
【００１７】
図７に姿勢案内部を設けたアンカー板１の例を示す。
中心線状に凸状部３が設けられたアンカー板１の後縁部１２の左右に小片状の姿勢案内部１４が設けられている。姿勢案内部１４は、凸状部３と反対側に傾斜して設けられており、所望深さに挿入されたアンカー板１を図４に示すように、少し引き上げてアンカー板１を水平方向に姿勢を変更する案内板（舵）の機能を果たす。これにより、垂直になっているアンカー板１が水平方向に付勢されて姿勢が安定することとなる。図６の図示の例では、押し込み治具５のセット場所となる後縁部１２の中央部には姿勢案内部１４は設けられていないが、十字形挿入溝の場合は、凸状部が挿入されない溝側にも姿勢案内部を設けることができる。
【００１８】
図８に本発明の引き抜き抵抗アンカー１０を使用する例を示す。
この例は簡易構築物１００のパイプハウスを構成する骨組み１２０に浮き上がり抑えるようにワイヤ１１０をかけて、左右端をグランドレベルとしている。被覆しているビニールを擦らないようにビニールの内側にワイヤをかけるので、立ち上がっている支柱の内側に引き抜き抵抗アンカー１０を設置する。
土中にアンカー板１を挿入して、水平姿勢とし、地上に出ている連結体２の後端部２３に設けられた調整部２５とワイヤ１１０を連結して、ターンバックルを締めて、ワイヤ１１０を緊張させる。簡易構築物のサイズや風の強さなどを考慮して、設けるワイヤ１１０の数を決定する。
本例では、緊急対応のために補強用ワイヤを設けた例を示したが、ワイヤのほか、図9に示される土台に取りつけるスクリュー杭に代えるあるいは、新たに追加して使用することができる。また、支柱など適宜引き抜きを抑える必要がある箇所に適用することができる。
【符号の説明】
【００１９】
１      板状体のアンカー板
１１    アンカー板の先端側
１２    アンカー板の後縁部
１４    姿勢案内部
１０    引き抜き抵抗アンカー
２      連結体
２２    連結体の先端部
２３    連結体の後端部
２４    環状部
２５    開口
３      直進案内用の凸状部
３１    連結体との接合部
３３    穴
３５    上辺
３５ｄ  肉厚
５      押し込み治具
５１    拘束する爪部
５２    押圧部
５３    挿入溝
１００  簡易構築物
１１０  ワイヤ
１２０  骨組み
【図１】
2020191787.tif 000003
【図２】
2020191787.tif 000004
【図３】
2020191787.tif 000005
【図４】
2020191787.tif 000006
【図５】
2020191787.tif 000007
【図６】
2020191787.tif 000008
【図７】
2020191787.tif 000009
【図８】
2020191787.tif 000010
【図９】
2020191787.tif 000011
【図１０】
2020191787.tif 000012